【手続補正書】
【提出日】平成15年3月17日(2003.3.17)
【手続補正１】
【補正対象書類名】明細書
【補正対象項目名】全文
【補正方法】変更
【補正の内容】
【発明の名称】密閉式額縁
【特許請求の範囲】
【請求項１】枠体（１）の前面の全体に透明な保護板（２）を取り付けて固定し、枠体の背後に開閉可能な密閉構造を有する裏蓋（３）を設けて、枠体の内部（５）を密閉構造とすると共に、この枠体の周囲に外枠（４）を固定または着脱自在に装着して内部に絵画、書、写真等（１３）を入れて掲げる密閉式額縁。
【請求項２】前記枠体の前面に取り付ける透明な保護板は枠体に固定または着脱自在な構造とする請求項１記載の密閉式額縁。
【請求項３】前記枠体は一体または少なくとも一箇所で分割可能な構造とすることを特徴とする請求項１記載の密閉式額縁。
【請求項４】前記枠体には外枠を枠体に装着するための少なくとも一箇所の外枠固定部（８）を設けることを特徴とする請求項１記載の密閉式額縁。
【請求項５】前記枠体に外枠を装着するための外枠固定部は枠体と一体または枠体の任意の位置に着脱自在の構造とすることを特徴とする請求項１記載の密閉式額縁。
【請求項６】前記枠体に取り付ける外枠は一体または少なくとも一箇所で分割可能な構造とすることを特徴とする請求項１記載の密閉式額縁。
【請求項７】前記密閉式構造の枠体の内部にアルゴンガス、窒素ガス等の不活性ガスまたはそれらに水分を適度に含有するガス等を封入することを特徴とする請求項１記載の密閉式額縁。
【請求項８】前記密閉式額縁の枠体の内部に上記ガスを供給するための供給ノズルと既存のガスを排出するための排出ノズルまたは供給、排出を兼ねたノズル（１４）を少なくとも一個、枠体または裏蓋に設けることを特徴とする請求項１記載の密閉式額縁。
【発明の詳細な説明】
【０００１】
【発明の属する技術分野】
本発明は絵画、書、写真等を入れて部屋、廊下に掲げる額縁に関するものである。
【０００２】
【従来の技術】
従来、絵画、書、写真等は額縁に入れて掲げられている。この場合、額縁は単なる飾りや掲示の手段として用いられている。更に、額縁全体の内部を密閉構造とすると共に内部の空気を不活性ガス等に置換しておくことにより絵画、書、写真等を保護する方法が知られている。（例えば、特開平１１−１０３９８９号公報参照）
【０００３】
【発明が解決しようとする課題】
従来の絵画、書、写真等は額縁に入れて掲げられている。この場合、額縁には気密性は無く中に入れられた絵画、書、写真等は額縁の置かれた周囲の環境、例えば、空気中の酸素、湿度、微細な埃、化学物質、温度等の影響を直接受けることになる。特に、額縁に入れられた絵画においては、絵の具に含まれる顔料の酸化による変色、空気中の湿度の変化によるひび割れや剥離といった傷みや微細な埃による汚れや黴が発生する。書、写真等においても同じような変色、傷み、汚れや黴が発生する。その結果、長年の間にはその傷みも大きく、高価な作品や貴重な作品の場合、修復に掛かる費用も高額になる。更に、額縁に嵌め込まれたガラスの内部にも黴が発生したり、汚れが付いて中に収められた絵画、書、写真等が見ずらくなるという問題点があった。
【０００４】
本発明は、絵画、書、写真等の変色、傷み、汚れ、黴等を発生すること無く、長期間安定した状態で絵画、書、写真等を掲げておく事のできる額縁を提供することを目的としている。
【０００５】
【議題を解決するための手段】
上記目的を達成するために、枠体の前面の全体に透明な保護板を取り付けて固定し、枠体の背後に開閉可能な密閉構造を有する裏蓋を設けて、枠体の内部を密閉構造とすると共に、この枠体の周囲に外枠を固定または着脱自在に装着して内部に絵画、書、写真等を入れて掲げるものとする。
【０００６】
枠体の前面に取り付ける透明な保護板は枠体に固定または着脱自在な構造とする。
【０００７】
枠体は一体または少なくとも一箇所で分割可能な構造とする。
【０００８】
枠体には外枠を枠体に装着するための少なくとも一箇所の外枠固定部を設ける構造とする。
【０００９】
枠体に外枠を装着するための外枠固定部は枠体と一体または枠体の任意の位置に着脱自在の構造とする。
【００１０】
枠体に取り付ける外枠は一体または少なくとも一箇所で分割可能な構造とする。
【００１１】
密閉式構造の枠体の内部にアルゴンガス、窒素ガス等の不活性ガスまたはそれらに水分を適度に含有するガス等を封入する。
【００１２】
密閉式額縁の枠体の内部に上記ガスを供給するための供給ノズルと既存のガスを排出するための排出ノズルまたは供給、排出を兼ねたノズルを少なくとも一個、枠体または裏蓋に設ける。
【００１３】
【発明の実施の形態】
発明の実施の形態を実施例にもとづき図面を参照して説明する。
図１において示される実施例において、本発明の額縁について示す。一体として形成した枠体１の前面に透明な保護板２を取り付け、保護板２の取り付け部と反対側の枠体１の背後に裏蓋３を取り付け、この枠体１に外枠４を取り付けた状態を示す。保護板２は枠体１の端部に設けられた、溝に嵌め込まれた状態で接着固定しており裏蓋３は枠体１と取り外し可能な状態になっている。裏蓋３と枠体１の間には密閉構造を維持するためのシール材６が入っており、裏蓋３を枠体１に設けたヒンジ式固定金具７で枠体１に固定することにより、枠体１の内部を密閉構造とすることができる。
【００１４】
図２において示される実施例において、枠体１と外枠４の固定部に付いて示す、枠体１には周囲に外枠４を枠体１に固定するための外枠固定部８が枠体１の４箇所のコーナー部に設けてあり、また、外枠４の４箇所のコーナー部には枠体１の外枠固定部８の形状と位置に合わせて、差し込み部１１が設けてあり、枠体１の周囲に外枠４を嵌め込むことができる。この外枠固定部８を外枠４の差し込み部１１に嵌め込み、この状態で外枠固定部８と差し込み部１１を固定板９で押さえて固定ボルト１０で固定する構造となっている。また、差し込み部１１に接着剤を入れて固定してもよい。
【００１５】
図３において示される実施例において、枠体１に外枠４を装着した状態で絵画、書、写真等１３を入れた場合の断面詳細図を示す。枠体１には外枠４が取り付けられており、一体として額縁になっている。絵画１３は固定枠１２に収められた状態で枠体１の中に入れてあり、保護面に押しつけられた状態で裏蓋３が閉じられている。裏蓋３と枠体１との間には、密封するためのシール材６が入っている。そして、裏蓋３の数か所に設けられた固定金具７を枠体１に取り付けて押さえることにより、枠体１の内部を密閉構造とすることができる。裏蓋３には枠体１の内部の空気と不活性ガスを置換するためのノズル１４が付いており、ノズル１４には枠体内部のガスと空気を遮断するための開閉弁１５が設けられている。図４に分解図を示す。
【００１６】
図５において示される実施例において、枠体１と保護板２の取り付け部の詳細を示す。枠体１の保護板２を取り付ける端部には保護板２を完全に固定するための保護板固定部１６が設けてあり、この固定部１６に保護板２を枠体１に入れて嵌め込み、この状態で固定部１６と保護板２の周囲を接着剤１７で固定する構造となっている。
【００１７】
本発明は以上の構成よりなっており、本発明の使用に際しては以下のように実施する。一体として形成された枠体１に透明な保護板として保護板２を取り付けた枠体１と裏蓋３で形成された密閉された枠体の内部５に、裏蓋３を取り外して、固定枠１２を入れる。この固定枠１２に絵画、書、写真等１３の作品を入れた後、裏蓋３を閉じて密閉する。密閉に際しては、裏蓋３を枠体１の後側に当てて固定金具で固定する。裏蓋３は枠体１との間のシール材６で密閉できるため、枠体１に裏蓋３を固定した状態で密閉構造とすることができる。
【００１８】
次に、枠体１の裏蓋３に取り付けてあるノズル１４に吸引具を付けて、ノズル１４の開閉弁１５を開き密閉された枠体内部５の空気を吸引する。この場合、枠体１で形成される密閉枠体内部５では吸引と共に内部の空気が排出されて、空気を外部に排気することができる。枠体内部５の空気の排気が完了したら、ノズル１４に取り付けてある開閉弁１５を閉じて吸引具を外し、次に置換用の不活性ガスの容器のノズルを枠体１のノズル１４に取り付ける。そして、容器のバルブを開き、ノズル１４の開閉弁１５を開き不活性ガスを枠体１の内部に吹き込めばよい。一定量の不活性ガス、すなわち、裏蓋３が閉じられる程度不活性ガスを封入したら、開閉弁１５を閉める。この状態で所定の場所に展示すればよい。
【００１９】
また、残存する微量の酸素を除去する必要がある場合、枠体内部の作品の後ろ側または裏蓋の内側に酸素除去剤を入れればよい。もちろん、枠体に作品を入れて置けば、密閉空間の内部の空気を特に吸引除去しなくても内部の作品を埃から保護するには十分である。
【００２０】
また、本発明の額縁は、絵画、書、写真等１３を保護板２と枠体１、裏蓋３で形成された密閉された枠体内部５に入れて保存するものである。そして、枠体１を形成する材質としてはポリプロピレン、塩化ビニール等の高分子化合物や金属、天然または合成繊維に高分子化合物等をコーティングしたもので一体成型で枠体１が製造できるものを使用すればよい。また、保護板としてはガラス板、アクリル、ポリカーボネイト等を使用すればよく、耐久性を十分維持できるものであれば材質等上記に限定するものではない。枠体１の形状も限定されたものでは無く、一体成型により額縁としての形状ができる素材であればどのようなものでもよい。
【００２１】
また、額縁を形成するために、枠体１に取り付ける外枠４は従来と同様な木材にパテ等で装飾したものでもよく、枠体１と同様な材質で形を作り、これに彩色したものでもよい、次に、裏蓋３と枠体１のシール材６は枠体１と裏蓋３に密着してシール性が維持できるものであればどのような材質のものを使用しても構わない。また、保護板、裏蓋と枠体とのシール性を高めるために枠体にゴム、テフロンゴム等を使用してもよい。もちろん、性能を維持できるものであれば形状等も本発明に限定されるもので無い。
【００２２】
【発明の効果】
本発明は、以上説明したように構成されているので、以下に記載されるような効果を奏する。
【００２３】
密閉構造を有する額縁の形成された密閉部に絵画、書、写真等を入れて不活性ガスを封入することにより、空気中の酸素による、絵画の顔料の酸化による変色、紙の酸化による劣化を抑制することができため、長期間作品を良好な状態で維持できる。
【００２４】
また、空気中の微細な埃による作品の汚れを防止できるため長期間作品が綺麗な状態に維持できる。
【００２５】
更に、封入するガスの成分や湿度を絵画にとって最適に調整できるうえ、ガスの成分が変質することがないため、絵の具のひび割れや剥離を防止できる。
【００２６】
密閉された空間部に不活性ガスを封入するため長期間保管する場合でも、絵画、書、写真等に黴が発生することがない。
【００２７】
また、密閉された空間部に不活性ガスを封入するため、保護板として使用するガラス板の内面にも黴や埃が付かないため、良好な状態で長期間観賞ができる。
【００２８】
また、密閉部は無酸素状態のため害虫が発生することはなく、害虫による被害を防止することができるため、長期間安定して良好な状態で保管できる。
【００２９】
また、密閉部の構造が簡単であるため、だれでも容易にガスの供給、排出が行える。
【００３０】
また、枠体に外枠を取り付ける構造であるため、外枠の形状を変えることにより、種々のデザインの額が製作できる。
【００３１】
また、枠体に外枠を取り付ける構造であるため、形状、大きさ、重量とも従来と同様な額縁を製作することが可能である。
【００３２】
枠体を一体成型で製作できるため、密閉構造を形成することが容易であり、また、大量生産が可能であるため、安価に密閉構造の額縁を製造できる。
【図面の簡単な説明】
【図１】
密閉構造を有する額縁の断面図である。
【図２】
外枠取り付け部の断面詳細図である。
【図３】
密閉構造を有する額縁に絵画、書、写真等を入れた場合の断面図である。
【図４】
密閉構造を有する額縁の分解図である。
【図５】枠体の保護板取り付け部の詳細断面図である。
【符号の説明】
１    枠体
２    保護板
３    裏蓋
４    外枠
５    枠体内部
６    シール材
７    固定金具
８    外枠固定部
９    固定板
１０  固定ボルト
１１  差し込み部
１２  固定枠
１３  絵画、書、写真等
１４  ノズル
１５  開閉弁
１６  保護板固定部
１７  接着剤


【手続補正２】
【補正対象書類名】図面
【補正対象項目名】全図
【補正方法】変更
【補正の内容】
【図１】
2003199655.tif 000001
【図２】
2003199655.tif 000002
【図３】
2003199655.tif 000003
【図４】
2003199655.tif 000004
【図５】
2003199655.tif 000005